(57)【要約】【課題】  組み込みスペース、組み立て工数を増やすことなく、深みぞ玉軸受と円筒ころ軸受の機能を１つの軸受に集約すること。【解決手段】  内輪１と、外輪２との間に、玉３と円筒ころ４との二種類の転動体が転動自在に介装してある。玉３と円筒ころ４とは、周方向に交互に配列してある。内輪１の凹溝加工面５は、玉３の軌道レース面となる。また、その両側の外径面６，６は、円筒ころ４の軌道レース面となる。外輪２の凹溝加工面７は、玉３の軌道レース面となる。また、その両側の内径面８，８は、円筒ころ４の軌道レース面となる。保持器１０は、一つの保持器自体に、玉３と円筒ころ４の二種類のポケット１１，１２を備えている。このような構成により、負荷荷重は、ラジアル荷重を主に円筒ころ４で受け、アキシアル荷重は、主に玉３で受けるようになっている。【選択図】  図１
2006144921.tif 000002
【特許請求の範囲】
【請求項１】
内輪と、外輪との間に、玉と円筒ころとの二種類の転動体を転動自在に介装した転がり軸受に於いて、
一つの保持器に、玉と円筒ころの二種類のポケットを設けて、転動体を保持することを特徴とする転がり軸受。
【請求項２】
円筒ころの転動体は、外輪の内径面と内輪の外径面を、軌道レ−ス面として使用することを特徴とする請求項１に記載の転がり軸受。
【請求項３】
玉の転動体は、外輪の凹溝加工面と内輪の凹溝加工面を、軌道レース面として使用することを特徴とする請求項１に記載の転がり軸受。
【請求項４】
負荷荷重は、ラジアル荷重を円筒ころで受け、アキシアル荷重は、玉で受けることを特徴とする請求項１に記載の転がり軸受。
【請求項５】
外輪もしくは内輪の一方は、２つ割れに設定してあることを特徴とする請求項１に記載の転がり軸受。
【発明の詳細な説明】
【技術分野】
【０００１】
本発明は、深みぞ玉軸受と円筒ころ軸受を組合せて使用する転がり軸受に関する。
【背景技術】
【０００２】
深みぞ玉軸受と円筒ころ軸受を組合せて使用する転がり軸受としては、特許文献１に開示してあるように、その構成は、異なる軌道面を半径方向に設け、玉と円筒ころを組み込むものであり、保持器は、一体ではなく別々である。
【０００３】
また、特許文献２では、複列軸受に於いて、軸方向に、玉ところを組み込むものであり、回転軸と外輪の間に介装した複数の玉と複数のころを備え、各ころを転動可能に保持する保持器が外輪の内周面に設けた係合部に係合してある。
【０００４】
さらに、特許文献３では、自動調心ころと玉とを備え、ころと玉は、周方向に交互に配設してある。
【０００５】
図４（ａ）は、従来例に係り、深みぞ玉軸受と円筒ころ軸受を組合せて使用する転がり軸受の一部破断の斜視図であり、（ｂ）は、その断面図である。
【０００６】
深みぞ玉軸受と円筒ころ軸受を組合せて使用する転がり軸受では、深みぞ玉軸受２０と、円筒ころ軸受３０とが軸方向に並列して設けてある。
【０００７】
一方の深みぞ玉軸受２０は、内輪２１と、外輪２２と、内・外輪２１，２２の間に転動自在に介装した玉２３と、玉２３を所定間隔に保持する保持器２４と、具備している。
【０００８】
また、円筒ころ軸受３０は、内輪３１と、外輪３２と、内・外輪３１，３２の間に転動自在に介装した円筒ころ３３と、円筒ころ３３を所定間隔に保持する保持器３４と、具備している。
【特許文献１】特開平１１−３７１４５号公報
【特許文献２】特開平１１−３７１４９号公報
【特許文献３】独特許  ＤＥ  １０２  ２５  ５７２  Ａ１号公報
【発明の開示】
【発明が解決しようとする課題】
【０００９】
しかしながら、深みぞ玉軸受２０と、円筒ころ軸受３０を組み合せて使用する場合、その幅分のスペースが必要となる。
【００１０】
また、２つの軸受２０，３０を組み込む必要があり、当然ながら、その組み立て工数が必要であり、製造コストの高騰を招来するといったことがある。
【００１１】
本発明は、上述したような事情に鑑みてなされたものであって、組み込みスペース、組み立て工数を増やすことなく、深みぞ玉軸受と円筒ころ軸受の機能を１つの軸受に集約することができる、転がり軸受を提供することを目的とする。
【課題を解決するための手段】
【００１２】
上記の目的を達成するため、本発明の請求項１に係る転がり軸受は、内輪と、外輪との間に、玉と円筒ころとの二種類の転動体を転動自在に介装した転がり軸受に於いて、
一つの保持器に、玉と円筒ころの二種類のポケットを設けて、転動体を保持することを特徴とする。
【００１３】
本発明の請求項２に係る転がり軸受は、円筒ころの転動体は、外輪の内径面と内輪の外径面を、軌道レ−ス面として使用することを特徴とする。
【００１４】
本発明の請求項３に係る転がり軸受は、玉の転動体は、外輪の凹溝加工面と内輪の凹溝加工面を、軌道レース面として使用することを特徴とする。
【００１５】
本発明の請求項４に係る転がり軸受は、負荷荷重は、ラジアル荷重を円筒ころで受け、アキシアル荷重は、玉で受けることを特徴とする。
【００１６】
本発明の請求項５に係る転がり軸受は、外輪もしくは内輪の一方は、２つ割れに設定してあることを特徴とする。
【発明の効果】
【００１７】
本発明によれば、一つの保持器に、玉と円筒ころの二種類のポケットを設けて、転動体を保持することから、組み込みスペース、組み立て工数を増やすことなく、深みぞ玉軸受と円筒ころ軸受の機能を１つの軸受に集約することができる。そのため、組み込みスペースと組み立て性の面で有利である。
【００１８】
また、一つの保持器のポケットに、玉と円筒ころを組み込み、一体型となっているため、軸受構成部品を少なくすることができると同時に、組合せ軸受では、必要な差幅管理と加工を省略できる。
【００１９】
さらに、軸受のコストダウンに効果がある。すなわち、部品点数を少なくすることで、部品コストの低減を図ることができ、製造工程が少なくなり、生産性の向上を図ることができる。
【発明を実施するための最良の形態】
【００２０】
以下、本発明の実施の形態に係る転がり軸受を図面を参照しつつ説明する。
【００２１】
（実施の形態）
図１（ａ）は、本発明の実施の形態に係る転がり軸受の断面図であり、（ｂ）は、その内輪の断面図であり、（ｃ）は、その保持器の断面図であり、（ｄ）は、その外輪の断面図である。
【００２２】
図２（ａ）は、本発明の実施の形態に係る転がり軸受の一部破断の斜視図であり、（ｂ）は、その内輪の一部破断の斜視図であり、（ｃ）は、その保持器の一部破断の斜視図であり、（ｄ）は、その外輪の一部破断の斜視図である。
【００２３】
本実施の形態では、内輪１と、外輪２との間に、玉３と円筒ころ４との二種類の転動体が転動自在に介装してある。玉３と円筒ころ４とは、周方向に交互に配列してある。
【００２４】
内輪１は、軸受の組み立て性から、２つ割れに設定してあり、その外径側の中央部には、凹溝加工面５が設けてあり、この凹溝加工面５は、玉３の軌道レース面となる。また、その両側の外径面６，６は、円筒ころ４の軌道レース面となる。
【００２５】
外輪２は、その内径側の中央部には、凹溝加工面７が設けてあり、この凹溝加工面７は、玉３の軌道レース面となる。また、その両側の内径面８，８は、円筒ころ４の軌道レース面となる。
【００２６】
保持器１０は、一つの保持器自体に、玉３と円筒ころ４の二種類のポケット１１，１２を備えている。
【００２７】
このような構成により、負荷荷重は、ラジアル荷重を主に円筒ころ４で受け、アキシアル荷重は、主に玉３で受けるようになっている。
【００２８】
このように、本実施の形態によれば、一つの保持器１０に、玉３と円筒ころ４の二種類のポケット１１，１２を設けて、転動体を保持することから、組み込みスペース、組み立て工数を増やすことなく、深みぞ玉軸受と円筒ころ軸受の機能を１つの軸受に集約することができる。そのため、組み込みスペースと組み立て性の面で有利である。
【００２９】
また、一つの保持器１０のポケット１１，１２に、玉３と円筒ころ４を組み込み、一体型となっているため、軸受構成部品を少なくすることができると同時に、組合せ軸受では、必要な差幅管理と加工を省略できる。さらに、軸受のコストダウンに効果がある。すなわち、部品点数を少なくすることで、部品コストの低減を図ることができ、製造工程が少なくなり、生産性の向上を図ることができる。
【００３０】
（変形例）
図３（ａ）は、本発明の実施の形態の第１変形例に係る転がり軸受の断面図であり、（ｂ）は、本発明の実施の形態の第２変形例に係る転がり軸受の断面図であり、（ｃ）は、本発明の実施の形態の第３変形例に係る転がり軸受の断面図である。
【００３１】
図３（ａ）の第１変形例では、玉３と円筒ころ４とは、周方向に交互に配列してあると共に、外輪２は、軸受の組み立て性から、２つ割れに設定してある。なお、外輪２は、その中央で、２つ割れに設定してある。その他の構成、作用、及び効果は、上述した実施の形態と同様である。
【００３２】
図３（ｂ）の第２変形例では、玉３と円筒ころ４とは、軸方向に並列に配列してあり、玉３と円筒ころ４の二種類のポケット１１，１２を備えた一つの保持器１０により保持してある。
【００３３】
また、内輪１は、軸受の組み立て性から、２つ割れに設定してある。なお、内輪１は、小幅と大幅との２つ割れに設定してある。その他の構成、作用、及び効果は、上述した実施の形態と同様である。
【００３４】
図３（ｃ）の第３変形例では、玉３と円筒ころ４とは、軸方向に並列に配列してあり、玉３と円筒ころ４の二種類のポケット１１，１２を備えた一つの保持器１０により保持してある。
【００３５】
また、外輪２は、軸受の組み立て性から、２つ割れに設定してある。なお、外輪２は、小幅と大幅との２つ割れに設定してある。その他の構成、作用、及び効果は、上述した実施の形態と同様である。
【００３６】
なお、本発明は、上述した実施の形態に限定されず、種々変形可能である。
【図面の簡単な説明】
【００３７】
【図１】（ａ）は、本発明の実施の形態に係る転がり軸受の断面図であり、（ｂ）は、その内輪の断面図であり、（ｃ）は、その保持器の断面図であり、（ｄ）は、その外輪の断面図である。
【図２】（ａ）は、本発明の実施の形態に係る転がり軸受の一部破断の斜視図であり、（ｂ）は、その内輪の一部破断の斜視図であり、（ｃ）は、その保持器の一部破断の斜視図であり、（ｄ）は、その外輪の一部破断の斜視図である。
【図３】（ａ）は、本発明の実施の形態の第１変形例に係る転がり軸受の断面図であり、（ｂ）は、本発明の実施の形態の第２変形例に係る転がり軸受の断面図であり、（ｃ）は、本発明の実施の形態の第３変形例に係る転がり軸受の断面図である。
【図４】（ａ）は、従来例に係り、深みぞ玉軸受と円筒ころ軸受を組合せて使用する転がり軸受の一部破断の斜視図であり、（ｂ）は、その断面図である。
【符号の説明】
【００３８】
１  内輪
２  外輪
３  玉
４  円筒ころ
５  凹溝加工面
６  外径面
７  凹溝加工面
８  内径面
１０  保持器
１１，１２  ポケット
２０  深みぞ玉軸受
２１  内輪
２２  外輪
２３  玉
２４  保持器
３０  円筒ころ軸受
３１  内輪
３２  外輪
３３  円筒ころ
３４  保持器
【図１】
2006144921.tif 000003
【図２】
2006144921.tif 000004
【図３】
2006144921.tif 000005
【図４】
2006144921.tif 000006